(57)【特許請求の範囲】
【請求項１】
筐体と、
ディスクを駆動するディスク駆動ユニットが固着されているとともに、前記筐体に対し挿抜自在な可動体と、
前記筐体に対し前記可動体が、前記ディスクが駆動される駆動実行位置まで挿入されているとき、前記筐体に対して該可動体を弾性的に支持する弾性支持部材と、
前記筐体に対する前記可動体の挿抜過程で、前記ディスクの厚み方向における該可動体の動きを規制しつつ該可動体を該筐体に支持する規制支持手段と、
前記可動体が前記筐体に対し前記駆動実行位置まで挿入されたとき、前記規制支持手段による該ディスクの厚み方向における該可動体の動きの規制を解除するとともに該可動体を前記弾性支持部材に支持させるように切り換える切換手段と
を具備することを特徴とするディスク装置。
【請求項２】
筐体と、
ディスクを駆動するディスク駆動ユニットが固着されているとともに、前記筐体に対し挿抜自在な可動体と、
前記筐体に対し前記可動体を弾性的に支持する弾性支持部材とを備え、
前記弾性支持部材は、
前記可動体と嵌合する嵌合部と、
前記嵌合部が前記可動体に嵌合されているとき、該可動体の外形より前記ディスクの厚み方向に膨出している垂直支持部と、
前記嵌合部が前記可動体に嵌合されているとき、該可動体の外形よりディスクの半径方向に膨出している水平支持部とを具備し、
前記筐体は、
前記可動体が前記筐体に対し前記駆動実行位置まで挿入されたとき、前記弾性支持部材の前記垂直支持部と前記ディスクの厚み方向で接触する垂直接触部と、
前記可動体が前記筐体に対し前記駆動実行位置まで挿入されたとき、前記弾性支持部材の前記水平支持部と前記ディスクの半径方向で接触する水平接触部と
を具備することを特徴とするディスク装置。
【請求項３】
請求項２記載のディスク装置において、
前記弾性支持部材の具備する前記垂直支持部及び前記水平支持部、並びに前記筐体の具備する前記垂直接触部及び前記水平接触部は、前記可動体が前記筐体に対し前記駆動実行位置まで挿入されるときの挿入案内機能を有する形状であることを特徴とするディスク装置。
【請求項４】
請求項２記載のディスク装置において、
前記ディスクの駆動を実行する装置の使用姿勢は、前記ディスクの厚み方向を水平方向に向けた姿勢であることを特徴とするディスク装置。
【請求項５】
請求項２記載のディスク装置において、
前記可動体が前記駆動実行位置まで挿入されているときに該可動体を該筐体に対してロックするロック機構が、該可動体の各コーナ部近傍のいずれかの１箇所に設けられていることを特徴とするディスク装置。
【発明の詳細な説明】
【０００１】
【発明の属する技術分野】
本発明は、ＣＤ−ＲＯＭ、又はＤＶＤ−ＲＯＭ等の光ディスクを再生するディスク装置に関する。
【０００２】
【従来の技術】
一般に、ＣＤ、ＣＤ−ＲＯＭ、ＤＶＤ、及びＤＶＤ−ＲＯＭ等の光ディスクを再生するディスクドライブでは、外来振動対策として、ピックアップ及びディスクモータ等のディスク駆動・再生機構がメカシャーシに搭載されてなるディスク駆動ユニットを、ダンパ等の防振部材を介して支持するフローティング構造が採られている。
【０００３】
ところで、ノート型パソコン対応のディスクドライブにおいては、薄型化の要望があり、図４に示すように、ピックアップ５１等を搭載したメカシャーシ５２がネジ５３によりダンパ５４を介して組み込まれたドロワ５５と呼ばれる可動体と、このドロワ５５を収納可能な筐体であるキャビネット５６とからなる構造のものが用いられることがある。
【０００４】
【発明が解決しようとする課題】
しかしながら、このようなディスクドライブでは、ディスク駆動ユニットを構成するピックアップ５１、メカシャーシ５２、及びターンテーブルに搭載されるディスク等と、ドロワ５５本体との間に、加振時のダンパ５３の変形量に応じたクリアランスを設ける必要があり、このタイプのディスクドライブにおけるさらなる薄型化が困難であった。
【０００５】
また、このタイプのディスクドライブは、現状の構造においても、薄型化が要求されていて、ドロワ５５本体を構成するフレームの肉厚を薄くしたもの等が用いられることから、ドロワ５５の剛性が低くなってしまい、ディスク交換等の作業の際に注意を要するものとなっていた。
【０００６】
本発明はこのような課題を解決するためになされたものであり、薄型化に最適な構造であるとともに、機械的強度の向上を図れるディスク装置を提供しようとするものである。
【０００９】
【課題を解決するための手段】
上記目的を達成するために、本発明のディスク装置は、請求項１に記載されているように、筐体と、ディスクを駆動するディスク駆動ユニットが固着されているとともに、前記筐体に対し挿抜自在な可動体と、前記筐体に対し前記可動体が、前記ディスクが駆動される駆動実行位置まで挿入されているとき、前記筐体に対して該可動体を弾性的に支持する弾性支持部材と、前記筐体に対する前記可動体の挿抜過程で、前記ディスクの厚み方向における該可動体の動きを規制しつつ該可動体を該筐体に支持する規制支持手段と、前記可動体が前記筐体に対し前記駆動実行位置まで挿入されたとき、前記規制支持手段による該ディスクの厚み方向における該可動体の動きの規制を解除するとともに該可動体を前記弾性支持部材に支持させるように切り換える切換手段とを具備することを特徴とする。
【００１０】
また、本発明のディスク装置は、請求項２に記載されているように、筐体と、ディスクを駆動するディスク駆動ユニットが固着されているとともに、前記筐体に対し挿抜自在な可動体と、前記筐体に対し前記可動体を弾性的に支持する弾性支持部材とを備え、前記弾性支持部材は、前記可動体と嵌合する嵌合部と、前記嵌合部が前記可動体に嵌合されているとき、該可動体の外形より前記ディスクの厚み方向に膨出している垂直支持部と、前記嵌合部が前記可動体に嵌合されているとき、該可動体の外形よりディスクの半径方向に膨出している水平支持部とを具備し、前記筐体は、前記可動体が前記筐体に対し前記駆動実行位置まで挿入されたとき、前記弾性支持部材の前記垂直支持部と前記ディスクの厚み方向で接触する垂直接触部と、前記可動体が前記筐体に対し前記駆動実行位置まで挿入されたとき、前記弾性支持部材の前記水平支持部と前記ディスクの半径方向で接触する水平接触部とを具備することを特徴とする。
【００１１】
さらに、本発明のディスク装置は、請求項３に記載されているように、請求項２記載のディスク装置において、前記弾性支持部材の具備する前記垂直支持部及び前記水平支持部、並びに前記筐体の具備する前記垂直接触部及び前記水平接触部は、前記可動体が前記筐体に対し前記駆動実行位置まで挿入されるときの挿入案内機能を有する形状であることを特徴とする。
【００１２】
これらの発明のディスク装置によれば、ディスクを駆動するディスク駆動ユニットを可動体に固着し、ディスクの厚み方向及びディスクの半径方向のいずれの方向に対しても、可動体自体が弾性支持部材以外の他の部材と接触することなく、フローティング支持するようにしたので、ディスク駆動ユニットを構成するピックアップ、メカシャーシ、及び駆動機構に搭載されるディスク等と、可動体本体との間に、加振時を特別に考慮したクリアランスを設ける必要がなくなり、ディスク装置における薄型化が可能となる。また、可動体は、ディスク駆動ユニットが可動体本体に固着され一体化された剛体となり、メカシャーシ等の剛性が可動体本体に実質的に加わるので、機械的強度が向上することとなり、ディスク交換作業の際等に可動体の取り扱いに特別、注意を促す必要性をなくすことができる。さらに、これらの発明によれば、前記筐体に対する前記可動体の挿抜過程では、ディスクの厚み方向における可動体の動きを規制しつつ可動体を筐体に支持することができるとともに、弾性支持部材及び筐体の弾性支持部材を保持する部分に挿入案内が設けられているので、筐体内への可動体の挿抜動作をスムーズに行うことができる。
【００１３】
さらに、本発明のディスク装置は、請求項４に記載されているように、請求項２記載のディスク装置において、前記ディスクの駆動を実行する装置の使用姿勢は、前記ディスクの半径方向を垂直方向に向けた姿勢であることを特徴とする。この発明のディスク装置によれば、装置の据置姿勢を、ディスクの半径方向が垂直方向となる姿勢にしても、弾性支持部材によるフローティング効果が十分に得られるので、装置を縦置きにする等、用途に応じて装置の据置姿勢を適宜選択することができる。
【００１４】
また、本発明のディスク装置は、請求項５に記載されているように、請求項２記載のディスク装置において、前記可動体が前記駆動実行位置まで挿入されているときに該可動体を該筐体に対してロックするロック機構が、該可動体の各コーナ部近傍のいずれかの１箇所に設けられていることを特徴とする。
【００１５】
ロック機構をこのような位置に設けることにより、筐体に対する可動体の挿抜方向に振動が加わった場合に、可動体に伝わる振動は、ロック機構が設けられた位置を支点とした可動体の揺動運動に振り替えることができるので、可動体がロックされている方向に加振されても、弾性支持部材の水平支持部のダンピング効果により振動を減衰させることができる。
【００１６】
【発明の実施の形態】
以下、本発明を実施する場合の形態について図面に基づき説明する。
【００１７】
図１は本発明を適用した、いわゆるノート型パソコン対応のＤＶＤ−ＲＯＭドライブの全体的な構成を示す斜視図である。
【００１８】
このＤＶＤ−ＲＯＭドライブは、図示しないディスクを駆動および再生するためのディスク駆動・再生機構が搭載された可動体であるドロワ１と、このドロワ１を収納可能な筐体としてのキャビネット２とから構成されている。キャビネット２は上側キャビネットと下側キャビネットから構成されているが、同図では上側キャビネットの図示を省略してある。ドロワ１はキャビネット２に対して矢印Ｙ１−Ｙ２方向に出し入れ自在である。すなわち、キャビネット２の内側にはドロワ１を側面から支持するためのガイド曲げ３が複数形成されており、これらガイド曲げ３にドロワ１の両側面がスライドレール４を介して支持されている。
【００１９】
ドロワ１には、ディスクの外形に対応して窪んだ形状に形成されているディス外形凹部５と、ディスクモータ（図示せず）およびターンテーブル６等のディスク駆動機構と、回転するディスクの記録領域にレーザ光を照射してその反射光を取り込むことでディスクからデータを読み出すピックアップ７と、このピックアップ７をディスクの半径方向に搬送する図示しないピックアップ送り機構などが設けられている。以上のディスクを駆動するディスク駆動機構とピックアップ７を支持搬送するピックアップ送り機構は、単一のメカシャーシ上に搭載されてディスク駆動ユニット８を構成しており、このディスク駆動ユニット８は、ネジ９によりドロワ１本体に直接、固着されドロワ１本体と一体化した剛体となっている。さらに、ドロワ１には、ドロワ１をキャビネット２に対してフローティングするためのダンパ１０が各コーナに組み込まれており、ドロワ１が、キャビネット２に対し完全に収容された状態であって、ディスクの駆動が行われるディスク駆動実行位置まで挿入されているとき、ドロワ１はこのダンパ１０を介してキャビネット２の各コーナに形成されたダンパ受け部１１に保持されるものとなっている。
【００２０】
ここで、ドロワ１のキャビネット２に対しての挿抜過程における支持構造、及びドロワ１がキャビネット２に対し完全に収容された状態であるディスク駆動実行位置まで挿入されているときのドロワ１の防振支持構造についてそれぞれ詳述する。
【００２１】
まず、ドロワ１のキャビネット２に対しての挿抜過程における支持構造について説明する。
【００２２】
図２に示すように、ドロワ１の両側面には、ほぼ全体的に断面コの字状のガイド溝１ａが形成され、またドロワ１の挿入方向における先端部分にガイド突起１ｂが形成されている。一方、スライドレール４には、ドロワ１の抜脱方向における先端部分にガイド溝１ａと係合するスライド突起４ａが形成されている。このスライド突起４ａとガイド溝１ａ、及びスライドレール４本体とガイド突起１ｂは、キャビネット２に対してのドロワ１の挿抜過程において摺動することになるため、ドロワ１の挿抜動作がスムーズに行われるよう極僅かなクリアランスを残し、互いがほぼ接触している状態で係合されている。
【００２３】
次に、ドロワ１が、キャビネット２に対し完全に収容された状態となるディスク駆動実行位置まで挿入されているときのドロワ１の防振支持構造について説明する。
【００２４】
図３に示すように、弾性支持部材としてのダンパ１０は、糸巻き形状に形成されており、中央部にはドロワ１本体に嵌め込まれる嵌合部１０ａが形成されている。また、ダンパ１０の両端には、ドロワ１の外形よりディスクの厚み方向に膨出している球面状の垂直支持部１０ｂが設けられており、さらに、両端部側面には、ドロワ１の外形よりディスクの半径方向に膨出している円形状の水平支持部１０ｃが設けられている。一方、ダンパ１０を保持するダンパ受け部１１には、ダンパ１０の垂直支持部１０ｂとディスクの厚み方向で接触する垂直接触部１１ａが形成されている。また、ダンパ受け部１１には、ダンパ１０の水平支持部１０ｃとディスクの半径方向で接触する水平接触部１１ｂが形成されている。さらに、ダンパ受け部１１には、ダンパ１０が嵌め込まれたドロワ１がキャビネット２に対して挿入されるとき動作で、ダンパ１０がダンパ受け部１１が潜り込むこととなるので、この際の挿入案内として挿入案内曲げ１１ｃが形成されている。この挿入案内機能は、ダンパ１０自身も有しており、垂直支持部１０ｂが球面状であることと、水平支持部１０ｃが円形状であることにより、ダンパ受け部１１に潜り込み易くなっている。
【００２５】
ところで、ドロワ１が、ディスク駆動実行位置まで挿入されているときには、キャビネット２の底板から上方に突設されたロックピン１２とドロワ１に設けられたロックレバー１３とが係合して、キャビネット２内にドロワ１が完全に挿入された状態を保持できるようロックが掛かる。この際のドロワ１の支持状態は、ドロワ１のキャビネット２に対するドロワ１の挿抜過程とは異なり、スライドレール４のスライド突起４ａは、ドロワ１の排出方向における先端部分に形成されているガイド溝凹部１ｃの位置にあってドロワ１本体とは離間し、ドロワ１の挿入方向におけるスライドレール４本体の先端部分は、ドロワ１のガイド突起１ｂと接触しない位置にくることとなる。さらに、ディスクの厚み方向においては、ドロワ１の外形より膨出しているダンパ１０の垂直支持部１０ｂと、ダンパ受け部１１の垂直接触部１１ａ及びスライドレール４本体とが接触し、またディスクの半径方向においては、同様にドロワ１の外形より膨出しているダンパ１０の水平支持部１０ｃとダンパ受け部１１の水平接触部１１ｂとが接触することとなり、以てピックアップ７等を有するディスク駆動ユニット８が固着されたドロワ１は、キャビネット２（スライドレール４）に対し、ダンパ１０を介して弾性的に支持されたフローティング支持状態となる。
【００２６】
これにより、ドロワ１に伝わるディスクの厚み方向からの振動に対しては、ダンパ１０の垂直支持部１０ｂのダンピング効果が発揮され、また、キャビネット２に対するドロワ１の挿抜方向と直交する水平方向の振動に対しては、ダンパ１０の水平支持部１０ｃのダンピング効果が発揮されることとなり、各々の方向からドロワ１に伝わる振動が減衰される。さらに、キャビネット２に対するドロワ１の挿抜方向の振動に対しては、ドロワ１に伝わる振動が、ロックピン１２とロックレバー１３とが係合している位置、すなわちロック位置を支点としたドロワ１の揺動運動に振り替えられ、このドロワ１に伝わる振動は、ダンパ１０の水平支持部１０ｃのダンピング効果により減衰される。
【００２７】
このように、本実施形態のＤＶＤ−ＲＯＭドライブによれば、ディスクを駆動するディスク駆動ユニット８をドロワ１に固着し、ディスクの厚み方向及びディスクの半径方向のいずれの方向に対しても、ドロワ１自体がダンパ１０以外の他の部材と接触することなく、フローティング支持するようにしたので、ディスク駆動ユニット８を構成するピックアップ、メカシャーシ、及び駆動機構に搭載されるディスク等と、ドロワ１本体との間に、加振時を特別に考慮したクリアランスを設ける必要がなくなり、ディスクドライブにおける薄型化が可能となる。
【００２８】
また、本実施形態のＤＶＤ−ＲＯＭドライブによれば、ドロワ１は、ディスク駆動ユニット８がドロワ１本体に固着され一体化された剛体となり、メカシャーシ等の剛性がドロワ１本体に実質的に加わるので、機械的強度が向上することとなり、ディスク交換作業の際等にドロワ１の取り扱いに特別、注意を促す必要性をなくすことができる。さらに、本実施形態のＤＶＤ−ＲＯＭドライブによれば、キャビネット２に対するドロワ１の挿抜過程では、ディスクの厚み方向におけるドロワ１の動きを規制しつつドロワ１をキャビネット２に支持することができるとともに、ダンパ１０及びダンパ受け部１１に挿入案内が設けられているので、キャビネット２へのドロワ１の挿抜動作をスムーズに行うことができる。
【００２９】
また、本実施形態のＤＶＤ−ＲＯＭドライブによれば、キャビネット２に対するドロワ１のロック機構を、ドロワ１のコーナ部に設けたことにより、キャビネット２に対するドロワ１の挿抜方向に振動が加わった場合に、ドロワ１に伝わる振動は、ロック機構が設けられた位置を支点としたドロワ１の揺動運動に振り替えることができるので、ドロワ１がロックされている方向に加振されても、ダンパ１０の水平支持部１０ｃのダンピング効果により振動を減衰させることができる。
【００３０】
なお、本実施形態ではダンパがドロワ１に組み込まれている構造であったが、ドロワ１がキャビネット２にロックされた状態において、ドロワ１がフローティングされていれば、ダンパがキャビネット２に設けられていても良い。
【００３１】
また、本実施形態のＤＶＤ−ＲＯＭドライブは、ディスクの半径方向が水平方向となる横置き姿勢で使用するものとして説明したが、ダンパ１０のフローティング効果から、ディスクの半径方向が垂直方向となる縦置き姿勢でも使用できることは言うまでもない。
【００３２】
さらに、本実施形態では、ＤＶＤ−ＲＯＭドライブに本発明を適用した場合について説明したが、ＣＤ−ＲＯＭドライブ、ＣＤドライブ等をはじめ、様々な種類のディスクドライブに本発明を適用することができる。
【００３３】
【発明の効果】
本発明のディスク装置によれば、ディスクを駆動するディスク駆動ユニットを可動体に固着し、ディスクの厚み方向及びディスクの半径方向のいずれの方向に対しても、可動体自体が弾性支持部材以外の他の部材と接触することなく、フローティング支持するようにしたので、ディスク駆動ユニットを構成するピックアップ、メカシャーシ、及び駆動機構に搭載されるディスク等と、可動体本体との間に、加振時を特別に考慮したクリアランスを設ける必要がなくなり、ディスク装置における薄型化が可能となる。
【００３４】
また、本発明によれば、可動体は、ディスク駆動ユニットが可動体本体に固着され一体化された剛体となり、メカシャーシ等の剛性が可動体本体に実質的に加わるので、機械的強度が向上することとなり、ディスク交換作業の際等に可動体の取り扱いに特別、注意を促す必要性をなくすことができる。さらに、本発明によれば、前記筐体に対する前記可動体の挿抜過程では、ディスクの厚み方向における可動体の動きを規制しつつ可動体を筐体に支持することができるとともに、弾性支持部材及び筐体の弾性支持部材を保持する部分に挿入案内が設けられているので、筐体内への可動体の挿抜動作をスムーズに行うことができる。
【図面の簡単な説明】
【図１】本発明を適用した実施形態であるＤＶＤ−ＲＯＭドライブの構成を示す斜視図
【図２】図１のＤＶＤ−ＲＯＭドライブにおいて、キャビネットに対するドロワの挿抜動作時の支持状態を詳細に示す図
【図３】図１のＤＶＤ−ＲＯＭドライブにおいて、キャビネットに対しドロワが駆動実行位置まで挿入されているときの防振構造を詳細に示す図
【図４】従来のディスクドライブの防振構造を概略的に示す斜視図
【符号の説明】
１……ドロワ
１ａ……ガイド溝
１ｂ……ガイド突起
１ｃ……ガイド溝凹部
２……キャビネット
４……スライドレール
４ａ……スライド突起
８……ディスク駆動ユニット
９……ネジ
１０……ダンパ
１０ａ……嵌合部
１０ｂ……垂直支持部
１０ｃ……水平支持部
１１……ダンパ受け部
１１ａ……垂直接触部
１１ｂ……水平接触部
１１ｃ……挿入案内曲げ
１２……ロックピン
１３……ロックレバー
【図１】
0004083290.tif 000002
【図２】
0004083290.tif 000003
【図３】
0004083290.tif 000004
【図４】
0004083290.tif 000005